(57)【要約】【課題】１．弁体に強い衝撃が加わったとしても、保持機構部や伝達手段である伝達部材などを破損させることがない。２．槽体下の空間を広くとることができる。また、槽体下の配管スペースの高さを低くすることができる。３．故障時の修理やメンテナンスを簡単に行うことができる。４．排水口内の掃除を簡単に行うことができる。また、排水口や排水口内部に髪の毛やゴミ、ヌメリが付着しにくい。【解決手段】底面に排水口１１を構成した槽体１と、排水口１１の略垂直方向上部に位置し、排水口１１から離間した箇所に配置される蓋部２と、蓋部２と排水口１１の高さ間に水平方向に開口する通水口３と、通水口３に対し略直角に摺動して通水口３内に流通する流体を遮断又は開放する弁体４を備えたことを特徴とする排水口の止水構造。【選択図】図１
2017057561.tif 000002
【特許請求の範囲】
【請求項１】
底面に排水口１１を構成した槽体１と、
排水口１１の略垂直方向上部に位置し、排水口１１から離間した箇所に配置される蓋部２と、
蓋部２と排水口１１の高さ間に水平方向に開口する通水口３と、
通水口３に対し略直角に摺動して通水口３内に流通する流体を遮断又は開放する弁体４を備えたことを特徴とする排水口の止水構造。
【請求項２】
前記通水口３遮断時における弁体４の止水箇所が、弁体４上端と蓋部２下面であることを特徴とする前記請求項１に記載の排水口の止水構造。
【請求項３】
前記通水口３遮断時における弁体４の止水箇所が、弁体４側面と排水口１１内周面であることを特徴とする前記請求項１の排水口の止水構造。
【請求項４】
前記通水口３遮断時における弁体４の止水箇所が、弁体４下端と排水口１１上面であることを特徴とする前記請求項１の排水口の止水構造。
【請求項５】
前記蓋部２は、上面視排水口１１外縁と略同一若しくは排水口１１外縁よりも大きく構成したことを特徴とする前記請求項１乃至請求項４のいずれか一つに記載の排水口の止水構造。
【請求項６】
前記蓋部２を排水口１１に脱着自在に取り付け可能としたことを特徴とする前記請求項１乃至請求項５のいずれか一つに記載の排水口の止水構造。
【請求項７】
前記弁体４は中心軸方向に流体が通過する通水路４１を構成した前記請求項１乃至請求項６のいずれか一つに記載の排水口の止水構造。
【請求項８】
前記排水口１１から離れた位置に配置され、弁体４の操作を行う操作部７１と、
操作部７１の操作に伴い上下動する機構部７２を備え、
当該機構部７２に前記弁体４が支持される、若しくは機構部７２と弁体４が一体的に構成されていることを特徴とする前記請求項１乃至請求項７のいずれか一つに記載の排水口の止水構造。
【請求項９】
前記操作部７１の操作指示により電力で駆動する駆動部７３を備え、前記駆動部７３の駆動により弁体４が遮断／開放することを特徴とする前記請求項８に記載の排水口の止水構造。
【請求項１０】
前記駆動部７３と前記操作部７１からの操作信号を受信する受信部７４を蓋部２に構成するとともに、弁体４を蓋部２と連結して構成し、蓋部２を排水口１１から取り外した際に、排水口１１内周が段差等構成されないようにしたことを特徴とする前記請求項９に記載の排水口の止水構造。
【請求項１１】
前記操作部７１からの操作を機構部７２に伝達する伝達手段を、可撓管であって内部が中空の管体であるアウターチューブ７６１と、アウターチューブ７６１内部に進退自在に配置される剛性を有した金属線から成るインナーワイヤ７６２と、から構成されるレリースワイヤ７６としたことを特徴とする前記請求項８又は請求項９に記載の排水口の止水構造。
【発明の詳細な説明】
【技術分野】
【０００１】
本発明は、浴槽や洗面台などの排水口を開閉して槽体内の貯水／排水を行う排水口の止水構造に関するものである。
【背景技術】
【０００２】
本従来例の排水口の止水構造は、洗面台に用いられる洗面ボウルに用いられ、下記に記載する、槽体と、排水口と、排水管と、弁体と、操作部と、保持機構部と、昇降部と、伝達手段としての伝達部材と、から構成される。
槽体は、本従来例では洗面ボウルであって、内部に水などの流体を貯水／排水する箱体から成る。
排水口は、槽体底面に開口される穴であって、槽体内部の水を槽体外へと排出する開口である。本従来例では、排水口は後述の排水管が接続されており、排水口と排水管を介して槽体内の水は最終的には下水管へと排水される。
排水管は、排水口に接続される管体であって、排水口から下水管までを接続する。また、当該下水管は、途中に排水を一部貯水して、下水からの害虫や異臭を室内側へ逆流させないように備えられる排水トラップが取り付けられる。
弁体は、排水口に上下動自在且つ着脱自在に配置され、自身の上下動により排水口の開口／閉口を行う部材である。また、弁体が排水口から上昇時に、排水口が開放されて槽体内の水が排水口から槽体外へと排出され、弁体が下降して排水口に着座時には排水口が閉塞されて、槽体内に水を貯水することができるものである。
操作部は、洗面ボウルの上縁に配置される操作ツマミであって、使用者が操作ツマミを操作することで、排水口の弁体が上昇／下降することで、排水口の開口／閉口を遠隔的に操作するものである。本従来例では、使用者が操作部を押動するたびに、弁体が上昇／下降を繰り返すように構成される。また、操作部には後述のレリースワイヤが連結される。
保持機構部は、弁体下方に構成され、操作部の押動操作を保持する機構であり、本従来例ではスラストロック機構を備える。後述の昇降部を支持軸として備えており、操作部の押動操作のたびに支持軸の動作を保持／解除する部材である。また、保持機構部は、本実施例では内部に排水が流入しないように、ジャバラ状の水密パッキンで保持機構部と排水管の内部空間とは水密的に分離して配置される。
昇降部は、保持機構部に備えられた支持軸であって、ジャバラ状のパッキンを介して弁体下方に配置される。保持機構の動きに併せて、支持軸は上昇したり、また下降する。支持軸が上昇時には、パッキンを介して弁体を押し上げて上昇させ、排水口を開口させる。また、支持軸が下降時には支持軸に連結したパッキンを介し、自重で弁体が下降し排水口に着座して排水口を閉口させる。
伝達部材は、剛性を有した内部が中空の管体から成るアウターチューブと、アウターチューブ内を進退自在に配置される、金属線から成るインナーワイヤから構成されるレリースワイヤであって、前記操作部から保持機構部までを連結している。操作部を押動操作すると、アウターチューブ内のインナーワイヤが進行し、保持機構部内の支持軸を押し上げ、保持機構がその支持軸の上昇を保持する。また、支持軸の上昇に併せて弁体が上昇し、排水口を開口することができる。また、支持軸が上昇した状態から保持機構部の保持が解除されると支持軸が下降し、（このときの下降は、自重であったり、スプリングの作用等で支持軸が下降する。）パッキンを介して弁体が支持軸の下降にあわせて弁体の自重により下降する。すると、排水口に弁体が着座し、排水口が閉塞されることとなる。（特許文献１参照）
【０００３】
本従来例の排水口の止水構造は、浴室に用いられる浴槽に用いられ、下記に記載する、槽体と、排水口と、排水管と、弁体と、操作部と、保持機構部と、昇降部と、伝達手段としての伝達部材と、から構成される。
槽体は、本従来例では浴槽であって、内部に水などの流体を貯水／排水する箱体から成る。
排水口は、槽体底面に開口される穴であって、槽体内部の水を槽体外へと排出する開口である。本従来例では、排水口は後述の排水管が接続されており、排水口と排水管を介して槽体内の水は最終的には下水管へと排水される。
排水管は、排水口に接続される管体であって、排水口から下水管までを接続する。また、当該下水管は、途中に排水を一部貯水して、下水からの害虫や異臭を室内側へ逆流させないように備えられる排水トラップが取り付けられる。また、本従来例では、槽体直下で排水管をエルボ状に屈曲させ、排水管の屈曲部分の内部に後述する弁体、昇降部が配置される。
弁体は、排水口に接続される排水管内に上下動自在に配置され、自身の上下動により排水口の開口／閉口を行う部材である。また、弁体が排水口から上昇時に、弁体が排水管内周面に当接（着座）して押圧され、排水口を閉塞することができる。よって、排水口が閉塞されるので、槽体内に水を貯水することができる。また、弁体が下降すれば、排水管内周と弁体の当接（着座）が解除されて排水管と弁体の間に隙間が出来、排水口の閉塞状態が開放される。よって、排水口が開放されるので、槽体内の水が排水口から排水管へと排水でき、排水管の排水は弁体と排水管の隙間を介して下水へと排水することができる。
操作部は、浴槽の上縁付近に配置される回転式の操作ツマミであって、使用者が操作ツマミを回転操作することで、排水管内部に配置されている弁体が上昇／下降できる。また、当該操作部によって排水口の開口／閉口を遠隔的に操作するものである。本従来例では、使用者が操作部を回転操作するたびに、弁体が上昇／下降を繰り返すように構成される。また、操作部には後述のレリースワイヤが連結される。
保持機構部は、操作部に併設され、操作部の回転操作及び弁体の上昇／下降状態を保持する機構である。
昇降部は、排水管内部の弁体下方に配置されており、伸縮自在のパッキンを介して操作部の操作によって弁体を上昇／下降させる部材である。本従来例では後述の伝達部材であるワイヤーに取り付けられ、弁体を上昇／下降させる部材である。
伝達部材は、剛性を有した金属線から成るワイヤーから構成され、前記操作部から弁体までを連結している。操作部を回転操作すると、ワイヤーが進行し、弁体を押し上げ、保持機構部がそのワイヤーの上昇を保持する。また、ワイヤーの上昇に併せて排水管内で弁体が上昇し、排水管内周にパッキンを介して弁体が当接し、排水口を閉塞することができる。また、この状態から操作部を回転させると保持機構部の保持が解除され、ワイヤーが後退し、ワイヤーの後退に併せて弁体が下降し、排水管内周と弁体の当接（着座）が解除されて排水管と弁体の間に隙間が出来、排水口の閉塞状態が開放される。よって、排水口が開放されるので、槽体内の水が排水口から排水管へと排水でき、排水管の排水は弁体と排水管の隙間を介して下水へと排水することができる。（特許文献２参照）
【先行技術文献】
【特許文献】
【０００４】
【特許文献１】特開２００１−１５２５０５号
【特許文献２】特開昭６１−１０６８３７号
【発明の概要】
【発明が解決しようとする課題】
【０００５】
従来例の排水口の止水構造では以下のような問題があった。
特許文献１における排水口の止水構造では、弁体が開口時は槽体の底面より上昇していることとなる。このような時に、使用者が槽体内に重いバケツや洗面器を置けば上昇している弁体上に重量のあるバケツを置くこととなり、弁体に衝撃が加わる。弁体に衝撃が加わると、弁体の上昇を保持している保持機構部が故障・破損したり、レリースワイヤのインナーワイヤが衝撃により挫屈して破損・故障することがあった。また、特許文献１における技術が浴槽に用いられる場合では、弁体が上昇時、使用者が槽体内で誤って弁体を踏んでしまった際に弁体に強い衝撃が加わることとなる。そうすると、上述のように弁体の上昇を保持している保持機構部が故障・破損したり、レリースワイヤのインナーワイヤが衝撃により挫屈して破損・故障することがあった。
【０００６】
また、特許文献２における排水口の止水構造では、弁体が排水口より下流の排水管内部に配置構成されている為、上述のように使用者が誤ってバケツを弁体上に置いたり、使用者が誤って弁体を踏むようなことはないが、排水管内に弁体が配置構成されると、排水管が大がかりな装置となり、洗面ボウルであれば洗面ボウル下の空間が大きく排水管で取られることとなってしまう。多くの洗面ボウルは、洗面ボウル下に収納スペースを設けることが多く、そこにこの特許文献２のような排水口の止水構造を採用すれば、洗面ボウル下に位置する排水管が大きくスペース的に必要になってしまい、収納スペースが狭くなってしまうという問題があった。またさらに、浴槽に特許文献２における排水口の止水構造を用いると、当然ながら浴槽下の排水管内に弁体の上昇／下降する高さが必要となる為、浴室床面下の排水配管が配管される空間（以下配管スペースと記載）の高さが高くなってしまう。そうすると、浴室の従来からの課題として存在する、高層の集合住宅等の配管スペースの高さを低くして、１階当たりの高さを低くしながら従来の住宅の高さのまま階層を多くする、という課題を達成することが出来なかった。
また、特許文献２のような技術であれば、弁体に故障や不具合があった際にメンテナンスを行う場合は、槽体上から行うことはできず、槽体下の狭い空間から排水管を分解して弁体を取り外さなければならなかったので非常にメンテナンスし難い。
さらに、特許文献２における技術は、弁体が排水口から取り外せない為、掃除がしづらい。排水口から排水される排水にはゴミや髪の毛、ヌメリ等が混入している為、排水管内部は常時ゴミ詰まりやヌメリの問題が発生する。よって、特許文献２の技術では、排水口から弁体が取り外せないこと、また、排水管内部の使用者が手の届かない箇所に複雑な構造が内蔵されている為、掃除ができないばかりか、排水中のゴミや髪の毛で管詰まりを発生させることがあった。
【０００７】
以上のことから、本願発明は以下の課題を解決する。
１．弁体に強い衝撃が加わったとしても、保持機構部や伝達手段である伝達部材などを破損させることがない。
２．槽体下の空間を広くとることができる。また、槽体下の配管スペースの高さを低くすることができる。
３．故障時の修理やメンテナンスを簡単に行うことができる。
４．排水口内の掃除を簡単に行うことができる。また、排水口や排水口内部に髪の毛やゴミ、ヌメリが付着しにくい。
【課題を解決するための手段】
【０００８】
請求項１に記載の排水口の止水構造は、底面に排水口１１を構成した槽体１と、排水口１１の略垂直方向上部に位置し、排水口１１から離間した箇所に配置される蓋部２と、蓋部２と排水口１１の高さ間に水平方向に開口する通水口３と、通水口３に対し略直角に摺動して通水口３内に流通する流体を遮断又は開放する弁体４を備えたことを特徴とする排水口の止水構造である。
【０００９】
請求項２に記載の排水口の止水構造は、前記通水口３遮断時における弁体４の止水箇所が、弁体４上端と蓋部２下面であることを特徴とする前記段落０００８に記載の排水口の止水構造である。
【００１０】
請求項３に記載の排水口の止水構造は、前記通水口３遮断時における弁体４の止水箇所が、弁体４側面と排水口１１内周面であることを特徴とする前記段落０００８の排水口の止水構造である。
【００１１】
請求項４に記載の排水口の止水構造は、前記通水口３遮断時における弁体４の止水箇所が、弁体４下端と排水口１１上面であることを特徴とする前記段落０００８の排水口の止水構造である。
【００１２】
請求項５に記載の排水口の止水構造は、前記蓋部２は、上面視排水口１１外縁と略同一若しくは排水口１１外縁よりも大きく構成したことを特徴とする前記段落０００８乃至段落００１１のいずれか一つに記載の排水口の止水構造である。
【００１３】
請求項６に記載の排水口の止水構造は、前記蓋部２を排水口１１に脱着自在に取り付け可能としたことを特徴とする前記段落０００８乃至段落００１２のいずれか一つに記載の排水口の止水構造である。
【００１４】
請求項７に記載の排水口の止水構造は、前記弁体４は中心軸方向に流体が通過する通水路４１を構成した前記段落０００８乃至段落００１３のいずれか一つに記載の排水口の止水構造である。
【００１５】
請求項８に記載の排水口の止水構造は、前記排水口１１から離れた位置に配置され、弁体４の操作を行う操作部７１と、操作部７１の操作に伴い上下動する機構部７２を備え、当該機構部７２に前記弁体４が支持される、若しくは機構部７２と弁体４が一体的に構成されていることを特徴とする前記段落０００８乃至段落００１４のいずれか一つに記載の排水口の止水構造である。
【００１６】
請求項９に記載の排水口の止水構造は、前記操作部７１の操作指示により電力で駆動する駆動部７３を備え、前記駆動部７３の駆動により弁体４が遮断／開放することを特徴とする前記堕落００１５に記載の排水口の止水構造である。
【００１７】
請求項１０に記載の排水口の止水構造は、前記駆動部７３と前記操作部７１からの操作信号を受信する受信部７４を蓋部２に構成するとともに、弁体４を蓋部２と連結して構成し、蓋部２を排水口１１から取り外した際に、排水口１１内周が段差等構成されないようにしたことを特徴とする前記段落００１６に記載の排水口の止水構造である。
【００１８】
請求項１１に記載の排水口の止水構造は、前記操作部７１からの操作を機構部７２に伝達する伝達手段を、可撓管であって内部が中空の管体であるアウターチューブ７６１と、アウターチューブ７６１内部に進退自在に配置される剛性を有した金属線から成るインナーワイヤ７６２と、から構成されるレリースワイヤ７６としたことを特徴とする前記段落００１５又は段落００１６に記載の排水口の止水構造である。
【発明の効果】
【００１９】
請求項１に記載の本発明は、排水口１１の略垂直方向上部に位置し、排水口１１から離間した箇所に配置される蓋部２を備え、蓋部２と排水口１１の高さ間に水平方向に開口する通水口３と、通水口３に対し略直角に摺動して通水口３内に流通する流体を遮断又は開放する弁体４を備えたことにより、弁体４が槽体１より上方、つまり槽体１の表面側に位置する構成となるので、槽体１下に弁体４分の空間を備える必要が無くなるので、槽体１下の空間を広くとることや、配管の省スペース化を行うことができる。
請求項２に記載の本発明は、通水口３遮断時における弁体４の止水箇所が、弁体４上端と蓋部２下面としたことにより、止水箇所が従来型の排水口１１部分ではなく、それより上方で止水することができるので、止水箇所に加わる水圧が、排水口１１部分に加わる水圧よりも軽い水圧となる為、より少ない力で弁体４を開放することができる。
請求項３に記載の本発明は、通水口３遮断時における弁体４の止水箇所が、弁体４側面と排水口１１内周面としたことにより、弁体４が作動する空間が排水口１１の止水箇所より上方となるので、機構部７２分が蓋部２側に集約されることとなる。このようなことから、弁体４の故障が発生した際には、槽体１上方（表面）側から、また弁体４を排水口１１から取り外すだけで修理やメンテナンスを行うことができる。
請求項４に記載の本発明は、通水口３遮断時における弁体４の止水箇所が、弁体４下端と排水口１１上面としたことにより、弁体４が作動する空間が排水口１１の止水箇所より上方となるので、機構部７２分が蓋部２側に集約されることとなる。このようなことから、弁体４の故障が発生した際には、槽体１上方（表面）側から、また弁体４を排水口１１から取り外すだけで修理やメンテナンスを行うことができる。
請求項５に記載の本発明は、蓋部２は、上面視排水口１１外縁と略同一若しくは排水口１１外縁よりも大きく構成したことにより、蓋部２によって排水口１１を遮蔽できるので、使用者が排水口１１内部を直接目視できないようになる。よって、汚れた排水口１１内部が使用者の目に触れるようなことがない。
請求項６に記載の本発明は、蓋部２を排水口１１に脱着自在に取り付け可能としたことにより、使用者が蓋部２を取り外すことで、排水口１１内部を簡単に清掃したりメンテナンスすることができる。
請求項７に記載の本発明は、弁体４は中心軸方向に流体が通過する通水路４１を構成したことにより、排水の為の通水空間を大きくすることができるので、排水流量を大きく確保することができる。
請求項８に記載の本発明は、前記排水口１１から離れた位置に配置され、弁体４の操作を行う操作部７１と、操作部７１の操作に伴い上下動する機構部７２を備え、当該機構部７２に前記弁体４が支持される、若しくは機構部７２と弁体４が一体的に構成されていることにより、遠隔的に弁体４の開放／閉塞を行うことができる。
請求項９に記載の本発明は、前記操作部７１の操作指示により電力で駆動する駆動部７３を備え、前記駆動部７３の駆動により弁体４が遮断／開放することにより、電力駆動によって弁体４の開放／閉塞を行うことができる。
請求項１０に記載の本発明は、前記駆動部７３と前記操作部７１からの操作信号を受信する受信部７４を蓋部２に構成するとともに、弁体４を蓋部２と連結して構成し、蓋部２を排水口１１から取り外した際に、排水口１１内周が段差等構成されないようにしたことにより、ワイヤーレスで弁体４の閉塞／開放を行うことができる。
請求項１１に記載の本発明は、前記操作部７１からの操作を機構部７２に伝達する伝達手段を、可撓管であって内部が中空の管体であるアウターチューブ７６１と、アウターチューブ７６１内部に進退自在に配置される剛性を有した金属線から成るインナーワイヤ７６２と、から構成されるレリースワイヤ７６としたことにより、レリースワイヤ７６を用いて弁体４の閉塞／開放を行うことができる。
【図面の簡単な説明】
【００２０】
【図１】本発明の第１実施例の通水口が開放状態を示す断面図である。
【図２】本発明の第１実施例の通水口が遮断状態を示す断面図である。
【図３】図１におけるＡ−Ａ’断面図である。
【図４】本発明の第２実施例の通水口が開放状態を示す断面図である。
【図５】本発明の第２実施例の通水口が閉塞状態を示す断面図である。
【図６】第２実施例の機構部を示す斜視図である。
【図７】第２実施例の排水管、弁体、機構部を示す、一部断面斜視図である。
【図８】本発明の第３実施例の通水口が開放状態を示す模式図である。
【図９】本発明の第３実施例の通水口が遮断状態を示す模式図である。
【図１０】その他の実施例の通水口が開放状態を示す模式図である。
【図１１】その他の実施例の通水口が遮断状態を示す模式図である。
【発明を実施するための形態】
【実施例１】
【００２１】
本実施例の排水口の止水構造は、洗面台に用いられる洗面ボウルに用いられ、図１乃至図３に記載するように、下記に記載する、槽体１と、排水口１１と、排水管６と、蓋部２と、弁体４と、通水口３と、水密パッキン５と、操作部７１と、保持機構部７５と、機構部７２と、伝達手段としての伝達部材と、から構成される。
槽体１は、本実施例では洗面ボウルであって、内部に水などの流体を貯水／排水する箱体から成る。
排水口１１は、槽体１底面に開口される穴であって、槽体１内部の水を槽体１外へと排出する開口である。本従来例では、排水口１１は後述の排水管６が接続されており、排水口１１を介し排水管６へと排水されることで、槽体１内の水は最終的には下水管へと排水される。
排水管６は、排水口１１に接続される管体であって、排水口１１から下水管までを接続する。また、当該排水管６は、図示しないが途中に排水を一部貯水して、下水からの害虫や異臭を室内側へ逆流させないように備えられる排水トラップが取り付けられる。本実施例では、上端にフランジ６１を有した排水管６を槽体１の排水口１１に係止させて接続し、下端は排水管６が適宜接続されている。
蓋部２は、上面視排水口１１外縁より大きい形状であって、底面に後述の弁体４との当接面と有し、裏面から下方に向けて延出する、複数の弾性を有した係合脚２１が構成される。この係合脚２１は、下端に排水管６のフランジ６１外縁に係合するツメ２２を構成しており、このツメ２２により排水口１１に取り付けられる排水管６に着脱自在に係合する。この係合脚２１により蓋部２は排水口１１から着脱自在に取り付け可能となる。また、当該蓋部２は、この係合脚２１により排水口１１の垂直方向上部に排水口１１から離間して配置される。また、蓋部２には、弁体４に備えられた磁石８の磁力に反発する磁石８が内蔵されている。尚、この蓋部２底面又は下端から排水口１１上面又は上端までの高さに、後述する通水口３が形成される。
弁体４は、排水口１１に対し略直角に摺動して配置され、また、弁体４は排水口１１内周から弁体４裏面までの間に上下動自在に摺動可能に配置される。弁体４は、自身の上下動、即ち摺動により通水口３の遮断／開放を行う部材である。弁体４の上方には、蓋部２に備えられる磁石８に反発する磁石８が内蔵されており、常時弁体４は下方、即ち排水管６側へ付勢されるように配置される。本実施例では磁石８を用いているが、例えばスプリングなどの付勢手段・弾発手段を用いて常時下方に付勢してもよい。
弁体４下端には、後述の機構部７２の傾斜面７２２に沿う形状の傾斜面４３が形成されており、機構部７２の傾斜面７２２に合致して弁体４が上下動する。
本実施例では、弁体４は円筒状であって、中心軸方向に排水が通過する通水路４１を形成し、排水口１１を形成する排水管６内周面に摺動するように配置される。この通水路４１は、弁体４が開放時、通水口３から流入した排水が通過して排水管６側へと排水するための開口である。
また、図２のように弁体４が摺動して排水口１１内で上昇時に、弁体４が蓋部２裏面に水密的に当接して通水口３を遮断する。このときの止水箇所は弁体４上端と蓋部２裏面又は下面となり、更に後述の水密パッキン５を介して当接する為、良好な止水性能を保つことが可能である。通水口３を遮断することで、排水口１１も遮断されるので、槽体１内に水を貯水することができる。
この状態から弁体４が摺動して排水口１１内で下降時には、弁体４上端と蓋部２下面の当接が解除されて、そのまま排水管６内部まで弁体４が下降する。そうすると、弁体４上部と蓋部２下面に隙間が出来、通水口３が開放されることで排水口１１も開放され、槽体１内の水が排水口１１から槽体１外、排水管６へと排出される。また、図１のように弁体４が下降時、弁体４上端まで排水管６内に収容されるので、槽体１内に水残りなどが発生することがない。
通水口３は、蓋部下面から排水口１１上面までの高さ間に水平方向に形成される開口であって、排水を蓋部直下に位置する排水口１１へと通水させる為の開口である。通水口３は蓋部の係合脚２１によって排水口１１から離間して配置された蓋部裏面と、排水口１１上面の垂直方向間に形成される。この通水口３は、弁体４によって遮断／開放される。
水密パッキン５は、弁体４上端と、弁体４下方の外周面に形成する水密パッキン５である。弁体４上端に備えた水密パッキン５は、弁体４上端と蓋部裏面の水密化を図る。また、排水口１１を備えた排水管６内周面に形成された水密パッキン５は、弁体４と排水口１１の内周面、本実施例では排水口１１を形成する排水管６内周面と当接して、その間の水密化を図っている。
操作部７１は、洗面ボウルの上縁に配置される操作ツマミであって、使用者が操作ツマミを押動操作することで、弁体４が上昇／下降の摺動操作が可能となる。また、通水口３の開放／遮断を遠隔的に操作するものである。本実施例では、使用者が操作部７１を押動するたびに、弁体４が上下動の摺動を繰り返すように構成される。また、操作部７１には後述のレリースワイヤ７６が連結される。
保持機構部７５は、操作部７１に構成される部材であって、レリースワイヤ７６のインナーワイヤ７６２の進行を保持又は解除する部材である。本実施例では図示しないがスラストロック機構を備えている。
機構部７２は、弁体４の上下動の摺動を発生させる部材であり、本実施例では図３のように、上面視Ｕ字状であって、上端に傾斜面７２２を構成した部材である。排水管６の側面から水平方向に排水管６内部に挿入配置され、排水管６内部を水平方向に進退可能に配置される。機構部７２の傾斜面７２２は、弁体４下端の傾斜面４３に合致し、機構部７２を進行させた際には傾斜面７２２が排水管６内に水平方向に進行し、機構部７２上端の傾斜面７２２が弁体４下端の傾斜面４３に合致し、傾斜面７２２に沿いつつ弁体４が上動する。機構部７２が退行すると、機構部７２の上端の傾斜面７２２と弁体４下方の傾斜面４３の合致がはずれて弁体４が下降する。このとき、弁体４の磁石８と蓋部の磁石８が反発している為、弁体４はこの磁力により付勢されて下降することができる。
伝達部材は、伝達手段であって、剛性を有した内部が中空の管体から成るアウターチューブ７６１と、アウターチューブ７６１内を進退自在に配置される、金属線から成るインナーワイヤ７６２から構成されるレリースワイヤ７６であって、前記操作部７１から機構部７２までを連結している。また、レリースワイヤ７６内部には、リターンスプリングが内蔵されており、インナーワイヤ７６２を常時後退させるよう付勢している。操作部７１を押動操作すると、アウターチューブ７６１内のインナーワイヤ７６２が進行し、保持機構部７５がインナーワイヤ７６２の進行を保持する。このとき、インナーワイヤ７６２の端部には機構部７２が連結されているので、機構部７２は排水管６内部で水平方向に進行している状態、即ち弁体４が上昇して通水口３を閉塞している状態となる。また、この状態から操作部７１を再度押動すると、保持機構部７５の保持が解除されて、リターンスプリングの付勢によりインナーワイヤ７６２が後退する。よって、インナーワイヤ７６２に連結された機構部７２も排水管６内で水平方向に後退することになる。この状態時においては、弁体４は、弁体４と蓋部それぞれに設けた磁石８の磁力により、下方に付勢されるので弁体４が下降した状態になり、通水口３が開放されて、通水可能状態になる。
【００２２】
上記の実施例である排水口の止水構造は以下のような作用となる。
図１のように槽体１の排水口１１が開放状態の時、使用者が操作部７１を押動すると、操作部７１にその一端を連結しているレリースワイヤ７６のインナーワイヤ７６２が進行し、インナーワイヤ７６２が進行した距離分、インナーワイヤ７６２の他端に接続している機構部７２が排水管６内で水平方向に前進する。機構部７２が前進すると、機構部７２上端に構成した、上端に向かって傾斜する上り方向の傾斜面７２２と排水管６内に配置されている弁体４下端の傾斜面４３が当接し、さらに機構部７２が前進すると、傾斜面同士が当接して摺動しながら傾斜面７２２に併せて弁体４が排水管６、即ち排水口１１に対して直角に摺動して上昇する。上昇する際、弁体４に内蔵した磁石８と、弁体４に備えた磁石８は反発しているが、当該反発に抗って、弁体４は押し上げられることとなる。このとき、排水口１１内周面には水密パッキン５が備えられて弁体４外周と水密的に当接してといるので、排水口１１内周と弁体４外側面間の止水は水密的に行われている。弁体４が上昇すると、弁体４上端に構成された水密パッキン５が蓋部下面に当接し、弁体４上端と蓋部下面間の水密化を行う。弁体４上端と蓋部の当接が行われると、図２にように通水口３は水密的に遮断され、排水口１１も水密的に遮断・閉塞される。そして、操作部７１に設けられた保持機構部７５が、インナーワイヤ７６２の前進を保持することで、弁体４による通水口３の遮断は維持される。通水口３の遮断が行われると、結果的に排水口１１も遮断、閉塞されるので、槽体１内に水を貯水することができる。また、このとき、使用者が槽体１内にバケツ等を載置して、排水口１１付近に過大な荷重や負荷をかけたとしても、弁体４は蓋部によって保護されている為、弁体４の上昇を保持している機構部７２やレリースワイヤ７６、操作部７１、保持機構部７５に当該負荷が伝達するようなことがなく、故障のおそれがない。
また、当該弁体４と蓋部が当接して通水口３を遮断している状態から、使用者が再度操作部７１を押動すると、操作部７１に一端が連結されたインナーワイヤ７６２が再度進行し、保持機構部７５の保持状態を解除する。すると、レリースワイヤ７６内のリターンスプリングが作用し、インナーワイヤ７６２がアウターチューブ７６１以内で後退する。インナーワイヤ７６２の他端に接続した機構部７２が、インナーワイヤ７６２の後退に併せて排水管６内部で水平方向に後退する。機構部７２上端の傾斜に合致して押し上げられていた弁体４が、機構部７２の後退とともに、機構部７２上端の傾斜面７２２の下り方向に当接しつつ弁体４が下方に摺動する。このとき、蓋部に内蔵されている磁石８と弁体４に内蔵されている磁石８の反発の磁力により、弁体４は常時下方に付勢されているので、円滑に下方に向かって摺動することとなる。弁体４が下方に摺動すると、弁体４上端と蓋部下面の当接が解除され、弁体４上端と蓋部下面の間に通水口３としての隙間ができ、その隙間から槽体１内の排水が、弁体４内周に開口されている通水路４１を通過し、排水口１１へと排水される。そして、機構部７２の水平方向の後退が終了すると、機構部７２に押し上げられていた弁体４が磁石８の反発により下降し、図１のように排水管６内周に完全に収容されると、通水口３の遮断は完全に解放される。通水口３の遮断が開放されると、槽体１内の排水は、通水口３を介して排水口１１を通過し、槽体１外へと排出される。槽体１外へと排水された排水は、排水口１１に接続された排水管６へと排水されるが、排水管６内周に収容されている弁体４の通水路４１を通過して、排水管６の下流へと排出される。排水管６からの排水については、排水トラップを介して、最終的には下水へと排水される。
この、使用者の操作部７１の押動の繰り返しにより、排水は槽体１内に貯水したり、排水することができる。
【００２３】
また、前記の排水口の止水構造では、槽体１下の空間は、弁体４を押し上げる為の複雑な機構を備えずに簡単な構造のみで良く、通常の排水管６構造のみしか配管されないので、槽体１下の空間を広くとることができ、洗面ボウル下の収納スペースを大きくとることができる。
また、弁体４が故障した際は、蓋部２は排水口１１に係合脚２１で脱着自在に取り付けられているため簡単に取り外し可能であり、蓋部２を取り外せば、弁体４を排水口１１から簡単に取り除くことができるので、排水口１１内に髪の毛や排水中のゴミが溜まったとしても、簡単に使用者の手によって弁体４を取り外し、排水口１１内部、排水管６内部を簡単に清掃することができる。また、弁体４には通水路４１を構成しているので、蓋部２を排水口１１から取り外すだけでも、使用者の目視上、内部は段差等なく平滑状になっているので、掃除は手軽に行うことができる。
また、上述のように、蓋部２と弁体４は使用者に簡単に槽体１上面側から、排水口１１上面側から取り外すことができるので、弁体４や蓋部２に故障が発生した際や、メンテナンスを行ったり、取り替えを行うことも簡単にできるものである。
【実施例２】
【００２４】
本実施例の排水口の止水構造は、洗面台に用いられる洗面ボウルに用いられ、図４乃至図７に記載するように、下記に記載する、槽体１と、排水口１１と、排水管６と、蓋部２と、弁体４と、通水口３と、水密パッキン５と、操作部７１と、保持機構部７５と、機構部７２と、伝達手段としての伝達部材と、から構成される。
槽体１は、本実施例では洗面ボウルであって、内部に水などの流体を貯水／排水する箱体から成る。
排水口１１は、槽体１底面に開口される穴であって、槽体１内部の水を槽体１外へと排出する開口である。本従来例では、排水口１１は後述の排水管６が接続されており、排水口１１を介し排水管６へと排水されることで、槽体１内の水は最終的には下水管へと排水される。
排水管６は、排水口１１に接続される管体であって、排水口１１から下水管までを接続する。また、当該排水管６は、図示しないが途中に排水を一部貯水して、下水からの害虫や異臭を室内側へ逆流させないように備えられる排水トラップが取り付けられる。本実施例では、上端にフランジ６１を有して排水管６を槽体１の排水口１１に係止させて接続し、排水管６上端側内周面には後述の係合脚２１が係合する溝を備えて成り、排水管６下端は別途排水管６が適宜接続されている。また、図示しないが排水管６内周には、後述の弁体４下端に構成された廻り止めガイド部４４が嵌合するガイド溝が排水管６の軸方向に沿うように１カ所乃至複数構成される。
蓋部２は、上面視排水口１１外縁より大きい形状であって、底面に後述の弁体４との当接面と有し、裏面から下方に向けて延出する、複数の弾性を有した係合脚２１が構成される。この係合脚２１は、下端に排水管６の内周面に構成した溝に係合するツメ２２を構成しており、このツメ２２により排水口１１に取り付けられる排水管６に着脱自在に係合する。この係合脚２１により蓋部２は排水口１１から着脱自在に取り付け可能となる。また、当該蓋部２は、この係合脚２１により排水口１１の垂直方向上部に排水口１１から離間して配置される。尚、この蓋部２底面又は下端から排水口１１上面又は上端までの高さに、後述する通水口３が形成される。
弁体４は、排水口１１に対し略直角に摺動して配置される。また、弁体４は排水口１１内周から弁体４裏面までの間に上下動自在に摺動可能に配置され、自身の上下動、即ち摺動により通水口３の遮断／開放を行う部材である。
弁体４下端は上端と比較して拡径して構成され、弁体４下端外周には、後述の機構部７２のギアに対応する溝４２が構成されており、機構部７２のギアによって弁体４が上下動する。また、弁体４の下端には、図７に示すように弁体４が回転しないようにする為の廻り止めガイド部４４が凸条に構成される。この廻り止めガイド部４４は、排水管６内周に構成されたガイド溝にガイドされて、弁体が排水管６に対して回転しないように位置決めされる。従って、本実施例での弁体４は、機構部７２の凸部７２１が弁体４の溝４２に摺動し、機構部７２の内周方向での回転摺動によって弁体４が上下動するが、弁体４自身は排水管６内で廻り止めガイド部４４によって回転を抑制する為、弁体４は回転することなく、排水管６内で上下動することが可能である。即ち、廻り止めガイド部４４とガイド溝は、機構部７２の回転の力を垂直方向へ変換する為の構成要素であって、本実施例では機構部７２が回転すると、弁体４の廻り止めガイド部４４と排水管６内周のガイド溝によって弁体４の回転を抑制しつつ弁体４が垂直方向下方／上方に摺動することが可能である。
本実施例では、弁体４は円筒状であって、中心軸方向に排水が通過する通水路４１を形成する。この通水路４１は、弁体４が開放時、通水口３から流入した排水が通過して排水管６側へと排水するための開口である。
また、図５のように弁体４が摺動して排水口１１内で上昇時に、弁体４が蓋部２裏面に水密的に当接して通水口３を遮断する。このときの止水箇所は弁体４上端と蓋部２裏面又は下面となり、更に後述の水密パッキン５を介して当接する為、良好な止水性能を保つことが可能である。通水口３を遮断することで、排水口１１も遮断されるので、槽体１内に水を貯水することができる。
この状態から図４のように弁体４が摺動して排水口１１内で下降時には、弁体４上端と蓋部２下面の当接が解除されて、そのまま排水管６内部まで弁体４が下降する。そうすると、弁体４上部と蓋部２下面に隙間が出来、通水口３が開放されることで排水口１１も開放され、槽体１内の水が排水口１１から槽体１外、排水管６へと排出される。また、弁体４が下降時、弁体４上端まで排水管６内に収容されるので、槽体１内に水残りなどが発生することがない。
通水口３は、蓋部２下面から排水口１１上面までの高さ間に水平方向に形成される開口であって、排水を蓋部２直下に位置する排水口１１へと通水させる為の開口である。通水口３は、蓋部２の係合脚２１によって排水口１１から離間して配置された蓋部２裏面と、排水口１１上面の垂直方向間に形成される。この通水口３は、弁体４によって遮断／開放される。
水密パッキン５は、排水口１１内周面に一端が接続され、他端を弁体４上端に接続するジャバラ状のパッキンであって、弁体４上端側については、弁体４の上端を包み込んで取り付けられる。この水密パッキン５は、弁体４上端側で、弁体４上端と蓋部２裏面の水密化を図る。また、排水口１１内周面に取り付けられた側の水密パッキン５は、弁体４と排水口１１の内周面、本実施例では排水口１１を形成する排水管６内周面との間に当接して、その間の水密化を図っている。
また、この水密パッキン５はジャバラ状に構成されているので、図４及び図５に示すように、弁体４の上下動の摺動に併せて伸縮可能となる。
操作部７１は、洗面ボウルの上縁に配置される操作ツマミであって、使用者が操作ツマミを押動操作することで、弁体４が上昇／下降の摺動操作が可能となる。また、通水口３の開放／遮断を遠隔的に操作するものである。本実施例では、使用者が操作部７１を押動するたびに、弁体４が上下動の摺動を繰り返すように構成される。また、操作部７１には後述のレリースワイヤ７６が連結される。
保持機構部７５は、操作部７１に構成される部材であって、レリースワイヤ７６のインナーワイヤ７６２の進行を保持又は解除する部材である。本実施例では図示しないがスラストロック機構を備えている。
機構部７２は、弁体４の上下動の摺動を発生させる部材であり、図６に示すように本実施例ではベルト状であって、短手側端部にはインナーワイヤ７６２が連結されるとともに、弁体４下端の外周周囲に帯状に配置される。また、機構部７２内周には、ギアの為の凸部７２１が構成されており、弁体４下端の溝４２に合致して、凸部７２１が溝４２内を摺動して弁体４を上下動に摺動させる。さらに機構部７２は、インナーワイヤ７６２の進退に伴い弁体４外周に沿って周方向に摺動し、機構部７２内周の凸部７２１を弁体４下端外周の溝４２に沿うように配置される。
機構部７２の凸部７２１は、弁体４下端の溝４２に合致し、機構部７２を進行させた際には凸部７２１が溝４２に沿うので溝４２に沿いつつ弁体４が上動する。機構部７２が退行すると、機構部７２の凸部７２１が弁体４の溝４２に沿いつつ弁体４が下降する。このとき、弁体４はインナーワイヤ７６２の後退の力により下方に引き込まれるので、下降することができる。
また、弁体４には廻り止めガイド部４４、排水管６にはガイド溝が構成されているので、機構部７２の回転の力を垂直方向へ変換することが可能である。具体的には、機構部７２が回転すると、弁体４の廻り止めガイド部４４と排水管６内周のガイド溝によって弁体４の回転を抑制しつつ弁体４が垂直方向下方／上方に摺動することが可能である。
伝達部材は、伝達手段であって、剛性を有した内部が中空の管体から成るアウターチューブ７６１と、アウターチューブ７６１内を進退自在に配置される、金属線から成るインナーワイヤ７６２から構成されるレリースワイヤ７６であって、前記操作部７１から機構部７２までを連結している。また、レリースワイヤ７６内部には、リターンスプリングが内蔵されており、インナーワイヤ７６２を常時後退させるよう付勢している。操作部７１を押動操作すると、アウターチューブ７６１内のインナーワイヤ７６２が進行し、保持機構部７５がインナーワイヤ７６２の進行を保持する。このとき、インナーワイヤ７６２の端部には機構部７２が連結されているので、弁体４下方の周囲を周方向に沿って摺動し、弁体４が上昇して通水口３を閉塞している状態となる。また、この状態から操作部７１を再度押動すると、保持機構部７５の保持が解除されて、リターンスプリングの付勢によりインナーワイヤ７６２が後退する。よって、インナーワイヤ７６２に連結された機構部７２も弁体４下方の周囲を周方向に沿って摺動して後退することになる。すると、インナーワイヤ７６２の後退の力により下方に引き込まれて弁体４が下降した状態になり、通水口３が開放されて、通水可能状態になる。
【００２５】
上記の実施例である排水口の止水構造は以下のような作用となる。
図４のように槽体１の排水口１１が開放状態の時、使用者が操作部７１を押動すると、操作部７１にその一端を連結しているレリースワイヤ７６のインナーワイヤ７６２が進行し、インナーワイヤ７６２が進行した距離分、インナーワイヤ７６２の他端に接続している機構部７２が排水管６内の弁体４下端の周囲で周方向に沿いつつ前進する。機構部７２が前進すると、機構部７２内周に構成した凸部７２１と弁体４下方の外周に構成されている溝４２に沿いながら弁体４が排水管６、即ち排水口１１に対して直角に摺動して上昇する。このとき、弁体４には廻り止めガイド部４４、排水管にはガイド溝６が構成されているので、機構部７２の回転の力を垂直方向へ変換するので、弁体４の回転を抑制しながら弁体４が垂直方向上方に摺動する。そして、弁体４の上昇にあわせて水密パッキン５のジャバラが伸張する。また弁体４から排水口１１内周面にかけては水密パッキン５が備えられているので、排水口１１内周と弁体４間の止水は水密的に行われている。弁体４が上昇すると、弁体４上端を包んで配置された水密パッキン５が蓋部２下面に当接し、弁体４上端と蓋部２下面間の水密化を行う。水密パッキン５はジャバラ状に排水口１１内周面から弁体４上端部まで取り付けられているので、弁体４の上昇時にはジャバラ部が伸び、弁体４が下降時にはジャバラ部が伸縮する。よって、排水口１１内周から弁体４側の止水は当該水密パッキン５一つで水密化を図ることができる。また、図５のように弁体４上端と蓋部２の当接が行われると、通水口３は水密的に遮断され、排水口１１も水密的に遮断・閉塞される。そして、操作部７１に設けられた保持機構部７５が、インナーワイヤ７６２の前進を保持することで、弁体４による通水口３の遮断は維持される。通水口３の遮断が行われると、結果的に排水口１１も遮断、閉塞されるので、槽体１内に水を貯水することができる。また、このとき、使用者が槽体１内にバケツ等を載置して、排水口１１付近に過大な荷重や負荷をかけたとしても、弁体４は蓋部２によって保護されている為、弁体４の上昇を保持している機構部７２やレリースワイヤ７６、操作部７１、保持機構部７５に当該負荷が伝達するようなことがなく、故障のおそれがない。
また、図５のように当該弁体４と蓋部２が当接して通水口３を遮断している状態から、使用者が再度操作部７１を押動すると、操作部７１に一端が連結されたインナーワイヤ７６２が再度進行し、保持機構部７５の保持状態を解除する。すると、レリースワイヤ７６内のリターンスプリングが作用し、インナーワイヤ７６２がアウターチューブ７６１内で後退する。インナーワイヤ７６２の他端に接続した機構部７２が、インナーワイヤ７６２の後退に併せて排水管６内の弁体４下端の周囲で周方向に沿いつつ後退する。機構部７２が後退すると、機構部７２内周に構成した凸部７２１と弁体４下方の外周に構成されている溝４２に沿いながら弁体４が排水管６、即ち図４のように排水口１１に対して直角に摺動して下降する。機構部７２の凸部７２１と弁体４の溝４２によって押し上げられていた弁体４が、機構部７２の後退とともに、機構部７２の凸部７２１と弁体４の溝４２により弁体４が下方に摺動する。このとき、インナーワイヤ７６２の後退の力が機構部７２を介して直接的に弁体４に作用するため、インナーワイヤ７６２の後退力とともに弁体４も下方に引き込まれて、円滑に下方に向かって摺動することとなる。また、弁体４には廻り止めガイド部４４、排水管６にはガイド溝が構成されているので、機構部７２の回転の力を垂直方向へ変換するので、弁体４の回転を抑制しながら弁体４が垂直方向下方に摺動する。
弁体４が下方に摺動すると、弁体４上端と蓋部２下面の当接が解除され、弁体４上端と蓋部２下面の間に通水口３としての隙間ができ、その隙間から槽体１内の排水が、弁体４内周に開口されている通水路４１を通過し、排水口１１へと排水される。そして、機構部７２の水平方向の後退が終了すると、機構部７２に押し上げられていた弁体４がリターンスプリングの力により下降し、排水管６内周に完全に収容されると、通水口３の遮断は完全に解放される。通水口３の遮断が開放されると、槽体１内の排水は、通水口３を介して排水口１１を通過し、槽体１外へと排出される。槽体１外へと排水された排水は、排水口１１に接続された排水管６へと排水されるが、排水管６内周に収容されている弁体４の通水路４１を通過して、排水管６の下流へと排出される。排水管６からの排水については、排水トラップを介して、最終的には下水へと排水される。
この、使用者の操作部７１の押動の繰り返しにより、排水は槽体１内に貯水したり、排水することができる。
【００２６】
また、前記の排水口の止水構造では、槽体１下の空間は、弁体４を押し上げる為の複雑な機構を備えずに簡単な構造のみで良く、通常の排水管６構造のみしか配管されないので、槽体１下の空間を広くとることができ、洗面ボウル下の収納スペースを大きくとることができる。
また、弁体４が故障した際は、蓋部２は排水口１１に係合脚２１で脱着自在に取り付けられているため簡単に取り外し可能であり、蓋部２を取り外せば、水密パッキン５と共に弁体４を排水口１１から簡単に取り除くことができるので、排水口１１内に髪の毛や排水中のゴミが溜まったとしても、簡単に使用者の手によって弁体４を取り外し、排水口１１内部、排水管６内部を簡単に清掃することができる。
また、上述のように、蓋部２と弁体４は使用者に簡単に槽体１上面側から、排水口１１上面側から取り外すことができるので、弁体４や蓋部２に故障が発生した際や、メンテナンスを行ったり、取り替えを行うことも簡単にできるものである。
【実施例３】
【００２７】
本実施例の排水口の止水構造は、浴室に用いられる浴槽に用いられ、図８乃至図９に記載するように、下記に記載する、槽体１と、排水口１１と、排水管６と、蓋部２と、弁体４と、通水口３と、水密パッキン５と、操作部７１と、受信部７４と、駆動部７３と、機構部７２と、から構成される。
槽体１は、本実施例では浴槽であって、内部に水などの流体を貯水／排水する箱体から成る。
排水口１１は、槽体１底面に開口される穴であって、槽体１内部の水を槽体１外へと排出する開口である。本従来例では、排水口１１は後述の排水管６が接続されており、排水口１１を介し排水管６へと排水されることで、槽体１内の水は最終的には下水管へと排水される。
排水管６は、排水口１１に接続される管体であって、排水口１１から下水管までを接続する。また、当該排水管６は、図示しないが途中に排水を一部貯水して、下水からの害虫や異臭を室内側へ逆流させないように備えられる排水トラップが取り付けられる。本実施例では、上端にフランジ６１を有した排水管６を槽体１の排水口１１に係止させて接続し、下端は排水管６が適宜接続されている。
蓋部２は、上面視排水口１１外縁より大きい形状であって、底面に後述の弁体４との当接面と有し、裏面から下方に向けて延出する、複数の弾性を有した係合脚２１が構成される。この係合脚２１は、下端に排水管６のフランジ６１外縁に係合するツメ２２を構成しており、このツメ２２により排水口１１に取り付けられる排水管６に着脱自在に係合する。この係合脚２１により蓋部２は排水口１１から着脱自在に取り付け可能となる。また、当該蓋部２は、この係合脚２１により排水口１１の垂直方向上部に排水口１１から離間して配置される。
また、蓋部２には、後述の駆動部７３及び機構部７２、受信部７４、弁体４が内蔵されている。具体的には、蓋部２の上端に受信部７４が配置され、受信部７４の下方に駆動部７３としてのモーターが内蔵される。また、モーターからは垂直方向に稼働するギアとしての機構部７２が備えられ、当該機構部７２には弁体４が上下動可能に連結されている。
弁体４は、排水口１１に対し略直角に摺動して配置される。また、弁体４は排水口１１内周から弁体４裏面までの間に上下動自在に摺動可能に配置され、自身の上下動、即ち摺動により通水口３の遮断／開放を行う部材である。
本実施例では、弁体４は通水口３が開放時は蓋部２内に配置され、基本的には蓋部２下面と弁体４上端が機構部７２によって連結されている。本実施例では円筒状としているが、特に円筒状にする必要はなく、通水口３の遮断を行う形状であれば特に形状は問わない。
また、弁体４が摺動して蓋部２から下降時に、弁体４が排水口１１内周面に水密的に当接して通水口３を遮断する。このときの止水箇所は弁体４外側面と排水口１１又は排水管６の内周面となり、更に後述の水密パッキン５を介して当接する為、良好な止水性能を保つことが可能である。通水口３を遮断することで、排水口１１も遮断されるので、槽体１内に水を貯水することができる。
この状態から弁体４が摺動して排水口１１内周から蓋部２下面側へ上昇した時には、弁体４外側面と排水口１１又は排水管６内周面の当接が解除されて、そのまま蓋部２内部まで弁体４が上昇する。そうすると、弁体４下面と排水口１１上面に隙間が出来、通水口３が開放されることで排水口１１も開放され、槽体１内の水が排水口１１から槽体１外、排水管６へと排出される。また、弁体４が上昇した時、弁体４の下端まで蓋部２内に収容されるので、通水口３の高さを十分に確保することができる。
通水口３は、蓋部２下面から排水口１１上面までの高さ間に水平方向に形成される開口であって、排水を蓋部２直下に位置する排水口１１へと通水させる為の開口である。通水口３は、蓋部２の係合脚２１によって排水口１１から離間して配置された蓋部２裏面と、排水口１１上面の垂直方向間に形成される。この通水口３は、弁体４によって遮断／開放される。
水密パッキン５は、弁体４上方の外側面と、弁体４下方の外周面に形成する水密パッキン５である。弁体４上方の外側面に備えた水密パッキン５は、弁体４と蓋部２裏面の水密化を図り、排水が蓋部２内の駆動部７３や機構部７２内に流入することを防止する。また、弁体４下方の外周面に形成された水密パッキン５は、弁体４と排水口１１の内周面、本実施例では排水口１１を形成する排水管６内周面と当接して、その間の水密化を図っている。
操作部７１は、洗面ボウルの上縁に配置される操作ボタンであって、使用者が操作ボタンを押動操作することで、弁体４の上昇／下降の摺動操作が可能となる。また、通水口３の開放／遮断を遠隔的に操作するものである。本実施例では、使用者が操作部７１を押動するたびに、弁体４が上下動の摺動を繰り返すように構成される。また、操作部７１は電子制御されており、操作部７１の押動を電気信号により発信し、後述の蓋部２内の受信部７４まで送信する。
受信部７４は、操作部７１から発信された操作信号を受信して、駆動部７３へ連絡する部材である。この受信部７４は蓋部２内に内蔵されているので、受信部７４下の駆動部７３に操作部７１の操作指示を連絡する。
駆動部７３は、蓋部２の受信部７４下に内蔵され、本実施例ではモーターを採用しており、受信部７４からの操作指示により、モーターを回転／回転停止する。また、駆動部７３には回転の動きを垂直方向へ進退自在に変換させるためのギアとしての機構部７２を中心軸に構成する。
機構部７２は、前記駆動部７３の回転の力を垂直方向へ変換する為の部材であって、本実施例ではギアを備える。駆動部７３が回転すると、機構部７２が垂直方向下方に下降する。また、駆動部７３の回転が逆回転になった際には、機構部７２が上昇する。当該機構部７２には弁体４が連結されているため、機構部７２の上昇／下降により、弁体４も上昇・下降することができる。
【００２８】
上記の実施例である排水口の止水構造は以下のような作用となる。
図８のように槽体１の排水口１１が開放状態の時、使用者が操作部７１を押動すると、操作部７１から遮断指示が電気信号によって発信され、蓋部２内に内蔵されている受信部７４が当該信号を受信する。すると、受信部７４が遮断指示を駆動部７３へと連絡し、駆動部７３が回転する。そうすると、機構部７２により回転の力が変換されて垂直方向下方に機構部７２が作動するので、機構部７２に連結された弁体４も下方に摺動しつつ下降する。つまり、図９のように駆動部７３の駆動により弁体４が下方へと摺動する。このとき、弁体４の上方外周面には水密パッキン５が備えられて蓋部２下面と水密的に当接してといるので、蓋部２内に水が流入することがない。弁体４が下降すると、弁体４下方側面に構成された水密パッキン５が排水口１１内周面に当接し、弁体４と排水口１１間の水密化を行う。弁体４と排水口１１の当接が行われると、図９のように通水口３は水密的に遮断され、排水口１１も水密的に遮断・閉塞される。通水口３の遮断が行われると、結果的に排水口１１も遮断、閉塞されるので、槽体１内に水を貯水することができる。また、このとき、使用者が槽体１内にバケツ等を載置して、排水口１１付近に過大な荷重や負荷をかけたとしても、弁体４は蓋部２によって保護されている為、弁体４の上昇を保持している機構部７２やレリースワイヤ７６、操作部７１に当該負荷が伝達するようなことがなく、故障のおそれがない。
また、図９のように当該弁体４と排水口１１内周が当接して通水口３を遮断している状態から、使用者が再度操作部７１を押動すると、操作部７１から開放指示が電気信号によって発信され、蓋部２内に内蔵されている受信部７４が当該信号を受信する。すると、受信部７４が開放指示を駆動部７３へと連絡し、駆動部７３が逆回転する。そうすると、機構部７２により回転の力が変換されて垂直方向上方に機構部７２が作動するので、機構部７２が上昇し、機構部７２に連結された弁体４も上方に摺動しつつ上昇する。つまり、駆動部７３の駆動により弁体４が上方へと摺動する。このとき、弁体４の上方外周面には水密パッキン５が備えられて蓋部２下面と水密的に当接してといるので、蓋部２内に水が流入することがない。図８のように弁体４が蓋部２内に完全に収容されると、通水口３の遮断は完全に解放される。通水口３の遮断が開放されると、槽体１内の排水は、通水口３を介して排水口１１を通過し、槽体１外へと排出される。槽体１外へと排水された排水は、排水口１１に接続された排水管６へと排水され下流へと排出される。排水管６からの排水については、排水トラップを介して、最終的には下水へと排水される。
この、使用者の操作部７１の押動の繰り返しにより、排水は槽体１内に貯水したり、排水することができる。
【００２９】
また、前記の排水口の止水構造では、槽体１下の空間は、弁体４を押し上げる為の複雑な機構を備えずに簡単な構造のみで良く、通常の排水管６構造のみしか配管されないので、槽体１下の空間は排水管６の高さのみで可能である。よって、槽体１下の配管スペースは従来より低くすることが可能である。
また、弁体４が故障した際は、蓋部２は排水口１１に係合脚２１で脱着自在に取り付けられているため簡単に取り外し可能であり、蓋部２を取り外せば、弁体４を排水口１１から簡単に取り除くことができるので、排水口１１内に髪の毛や排水中のゴミが溜まったとしても、簡単に使用者の手によって弁体４を取り外し、排水口１１内部、排水管６内部を簡単に清掃することができる。また、弁体４には通水路４１を構成しているので、蓋部２を排水口１１から取り外すだけでも、使用者の目視上、内部は段差等なく平滑状になっているので、掃除は手軽に行うことができる。
また、上述のように、蓋部２と弁体４は使用者に簡単に槽体１上面側から、排水口１１上面側から取り外すことができるので、弁体４や蓋部２に故障が発生した際や、メンテナンスを行ったり、取り替えを行うことも簡単にできるものである。
【００３０】
本発明は前記した実施例のほか、特許請求の範囲を越えない範囲で適宜変更は可能である。
図１０及び図１１で示したように、弁体４下端に配置した水密パッキン５を排水口１１上端に当接させ、当該箇所を止水箇所とするような構成としても良い。図１０が通水口３が開放状態を示し、図１１が通水口３が遮断状態を示す。
また、上記実施例では、蓋部２と弁体４の止水は全て弁体４側に備えた水密パッキン５で行っているが、図示はしないが、蓋部２下面に水密パッキン５を配置し、弁体４を蓋部２下面の水密パッキン５に当接してもよい。
また、上記実施例では蓋部２と排水口１１の取り付け方法を蓋部２に構成した係合脚２１によって達成しているが、例えば排水口１１側に構成した係合脚２１に、蓋部２を取り付ける構成であってもよいし、蓋部２下面から下方に垂下する柱を構成し、当該柱を排水口１１に載置する構造であってもよい。また、排水口１１と蓋部２を一体的に構成しても良い。
また、上記実施例では、弁体４を押し上げる方法を遠隔操作によって機構部７２の上昇・下降によって行っているが、直接的に弁体４を操作することで、弁体４の上昇下降の摺動を行っても良い。
また、上記実施例では、排水口１１に排水管６にフランジ６１を係止して接続しているが、排水管６を槽体１裏面に直接的に接続して、槽体１上面からフランジ６１を見えないようにする、いわゆるフランジレス接続としても良い。
また、弁体４の通水路４１中にヘアーキャッチャーを備えても良いし、排水口１１内部に適宜ヘアーキャッチャーを配置しても良い。
また、蓋部２自体を弾性素材やゴム材より一体的に構成し、弁体４が蓋部２下面に当接した際に蓋部２自身の弾性によって水密化を図るようにしても良い。そうすれば、別途水密パッキン５を備えなくても良くなり部材点数を少なくすることができる。
【符号の説明】
【００３１】
１      槽体
１１    排水口
２      蓋部
２１    係合脚
２２    ツメ
３      通水口
４      弁体
４１    通水路
４２    溝
４３    傾斜面
４４    廻り止めガイド部
５      水密パッキン
６      排水管
６１    フランジ
７１    操作部
７２    機構部
７２１  凸部
７２２  傾斜面
７３    駆動部
７４    受信部
７５    保持機構部
７６    レリースワイヤ
７６１  アウターチューブ
７６２  インナーワイヤ
８      磁石
【図１】
2017057561.tif 000003
【図２】
2017057561.tif 000004
【図３】
2017057561.tif 000005
【図４】
2017057561.tif 000006
【図５】
2017057561.tif 000007
【図６】
2017057561.tif 000008
【図７】
2017057561.tif 000009
【図８】
2017057561.tif 000010
【図９】
2017057561.tif 000011
【図１０】
2017057561.tif 000012
【図１１】
2017057561.tif 000013